(57)【要約】【課題】複数人の飲食を伴う会合において不便を解消するため、飲食をするにも会話をするにも簡単安全な使い捨て飛沫感染防止具を開示・提供するものである。【解決手段】顔面のうち、不織布を素材とし、両眼より下部を覆うシート（１）を不織布を素材として設けると共に、該シート（１）を両耳部にかけて係止する一対の係止部材（２）（２）を設け、これら係止部材（２）（２）は、シート（１）の左右側部であって且つ上端部あるいは上端部付近に係止基部（３）（３）を設け、これら係止基部（３（３）に係止部材（２）（２）を設けた会食中に使用する使い捨て飛沫感染防止具。【選択図】図２
0003231131.tif 000002
【実用新案登録請求の範囲】
【請求項１】
顔面のうち、不織布を素材とし、両眼より下部を覆うシート（１）を不織布を素材として設けると共に、
該シート（１）を両耳部にかけて係止する一対の係止部材（２）（２）を設け、
これら係止部材（２）（２）は、シート（１）の左右側部であって、且つ上端部あるいは上端部付近に係止基部（３）（３）を設け、
これら係止基部（３）（３）に係止部材（２）（２）を設けた
ことを特徴とする会食中に使用する使い捨て飛沫感染防止具。
【請求項２】
シート（１）には縦方向にプリーツ（４）を設けた
ことを特徴とする請求項１記載の会食中に使用する使い捨て飛沫感染防止具。
【考案の詳細な説明】
【技術分野】
【０００１】  この考案は、会食中に使用する使い捨て飛沫感染防止具に関するものであり、特に、ＣＯＶＩＤー１９等のウイルス感染症等を防止し、着用後は使い捨てる飛沫感染防止具である。
【背景技術】
【０００２】  近年、新型コロナウイルス感染症が蔓延しており、世界中が大変な事態に直面している我が国においてはマスクを装着する習慣があり、他国に比べて今のところ感染者数は少ない。しかし、感染原因の一つとして、多数人での飲食を伴う会合が挙げられており、飲食店に通ってる客足が遠のき飲食業経営者及び従業員は経済的な大打撃を被っている。【０００３】  この時世で会合にマスク装着で出席することはエチケットであり、他人に感染させず自分も感染しないよう注意を心がけている。そのため、飲食を伴う会合では料理やアルコール類を口に入れる場合はマスクを外し、会話する際にはマスクを装着するという飛沫防止方法を地方の首長が推奨している。【０００４】  しかしながら、会食中にマスクを再三に渡って装着脱を繰り返せば、口の周囲（唇）に付着しがちの料理の残渣がマスクに付着して汚してしまう。さらに、会話をする際には自分の発出した飛沫を相手が浴びることがないようにマスクを装着する必要であり、マスクを装着しながらの飲食を伴う会合は、面倒且つ、億劫となり、その結果、飲食店の利用をを避け飲食店は莫大な経済的危機に陥ってる。この状況を一日でも早く回復できる飲食を伴う会合であっても、会食中にマスク不要とする飛沫感染防止具を開発するものである。【０００５】  それに対して、透明な合成樹脂で顔面を覆う種々のフェイスシールドが開発し商品化されている。例えば特許文献１のように。
【先行技術文献】
【特許文献】
【０００６】
【特許文献１】実用新案登録第３２２９００７号公報
【０００７】  しかしこのような硬度を有するフェースシールドは、顔面を覆って飛沫を避けるものであるが持ち運びするには大きすぎ可撓性はあるが、折りたたんでポケットに入れることは出来ず、顔面に装着しながら飲食することは困難である。
【考案の概要】
【考案が解決しようとする課題】
【０００８】  そこで、複数人の飲食を伴う会合において不便を解消するため、飲食をするにも会話をするにも簡単安全な使い捨て飛沫感染防止具を開示・提供するものである。
【課題を解決するための手段】
【０００９】  この考案の会食中に使用する使い捨て飛沫感染防止具は、顔面のうち、不織布を素材とし、両眼より下部を覆うシートを不織布を素材として設けると共に、該シートを両耳部にかけて係止する一対の係止部材を設け、これら係止部材は、シートの左右側部であって、且つ上端部あるいは上端部付近に係止基部を設け、これら係止基部に係止部材を設けたことを特徴とする。【００１０】  また、シートには縦方向にプリーツを設けたことを特徴とする。
【考案の効果】
【００１１】  この考案によると、本願に使用するシートは不織布を素材としており織布に比べて、飲食を伴う会合において装着すれば会話中に、お互いの唾液の飛沫を避けることができる。【００１２】  また、この考案のシート素材を不織布としたことにより、フェイスシールドマスクに比べて柔らかく、且つ安価に製造でき、使用後は口元に付着した汚れをシートでぬぐって店のゴミ箱に捨て、入店まで装着していたマスクを再び装着して帰ることができる。【００１３】  そして、シートには縦方向にプリーツを設けることにより、シートが会話中に顔面の横方向に移動することがなく飛沫を飛ばしたり、浴びることがないとの効果を奏する。【００１４】  さらに、飲食店が従来より「紙おしぼり」をサービスで提供するように、会食前にお客にこの考案の使い捨て飛沫感染防止具をテーブル上に提供しておけばよく、未だに入手困難なマスクを汚してホゴにしてしまうことがない。【００１５】  そもそも、この考案は、会食中にマスクを装着したり、外したりする面倒な手間を省くためマスクを不要とするとの効果を奏するものである。
【図面の簡単な説明】
【００１６】
【図１】  この考案の一実施例を示し、（Ａ）は正面図であり、（Ｂ）は図１中の（ａ）部分の拡大図である。
【図２】  この考案を装着した状態の側面図である。
【図３】  この考案を装着した状態の正面図である。
【図４】  この考案の他の実施例を示し、（Ａ）は平面図であり、（Ｂ）は正面図である。
【図５】  この考案のさらに他の実施例を示し、（Ａ）は平９面図であり、（Ｂ）は正面図である。
【図６】  この考案のさらに別の実施例を示し、（Ａ）は平面図であり、（Ｂ）は正面図である
【図７】  この考案の使用状態を示す側面図である。
【考案を実施するための形態】
【００１７】  以下、この考案について詳細に説明する。なお、この考案においては、以下の記述に限定されるものではなく、この考案の要旨を逸脱しない範囲においては適宜変更可能である
【実施例】
【００１８】  次に、この考案の一実施例を図面に従って詳細に説明すると、顔面のうち、不織布を素材とし、両眼より下部を覆うシート（１）を不織布を素材として設けると共に、該シート（１）を両耳部にかけて係止する一対の係止部材（２）（２）を設け、これら係止部材（２）（２）は、シート（１）の左右側部であって、且つ上端部あるいは上端部付近に係止基部（３）（３）を設け、これら係止基部（３）（３）に係止部材（２）（２）を設けたことを特徴とする会食中に使用する使い捨て飛沫感染防止具から構成されるものである【００１９】  なお、シート（１）の中央部で、特に鼻の位置である縦方向にプリーツ（４）、即ち、図４の山折り（４ａ）、図５のひだ折り（４ｂ）そして、図６のボックス折り（４ｃ）を設けており、それぞれのプリーツ（４）部分が鼻部に嵌まり、シート（１）を確実に中央部に位置させることができる。【００２０】  また、シート（１）の左右両側のそれぞれ上端部の係止基部（３）（３）から係止部材（２）（２）が設けられており、シート（１）を顔面に装着するとシート（１）の下部は前面方向に突出傾斜し、該シート（１）を側面から見ると、シート（１）は下方に進むに従って前方に傾斜し、図２に示すように、シート（１）と口部との距離（隙間）が広くなり、飲食がし易くできる。【００２１】  なお、シート（１）の素材が不織布で柔らかく、図７に示すようにシート下端を片手の指でつまんで口部との距離をさらに広くして飲食が出来る。【００２２】  さらに、前記シート（１）の素材は、販売されているキッチンペーパー（ハイビックス株式会社製）に使用されている不織布を用いたことにより、シートの厚みも丁度良く、また通常の布に比べて飛沫防止にも優れている。【００２３】  また、前記シート（１）の形状は、顔面を覆う大きさで略矩形状であり、図３に示すように両眼に当たらないようシート（１）上端部を大径の円弧状に抉って形成したり、図示はしないが、両眼が位置するシート（１）の上端部をそれぞれ小径の円弧状に抉ってカットした形状に形成してもよい。【００２４】  また、一対の係止部材（２）（２）は、前記シート（１）が顔面より落下しないように両耳部に掛ける部材であが、その一実施例を述べると、素材は伸縮性を有する布製、あるいはゴム製等であり、形状は耳部にかけ易いリング状に形成し、図１に示すようにシート（１）の係止基部（３）（３）に、それぞれに挿通して係止したものである。【００２５】  さらに、他の実施例として図示はしないが、リング状の係止部材（２）は、シート（１）の左右両側の上端部のそれぞれ角を対角方向に内側に折り曲げ、折り曲げた重合部に挟んで固定手段で固定するよう構成してもよい。
【産業上の利用可能性】
【００２６】  この考案の会食中に使用する使い捨て飛沫防止具の技術を確立し、実施することにより産業上の利用可能性を有する。
【符号の説明】
【００２７】  １    シート本体
２    係止部材
３    係止基部
４ａ、４ｂ、４ｃ    プリーツ
【図１】
0003231131.tif 000003
【図２】
0003231131.tif 000004
【図３】
0003231131.tif 000005
【図４】
0003231131.tif 000006
【図５】
0003231131.tif 000007
【図６】
0003231131.tif 000008
【図７】
0003231131.tif 000009